(57)【要約】【課題】前小口と筐体の前側となる面を略面一にでき、斬新な外観を実現する。【解決手段】白鍵ＷＫの前小口２０には、後ろ側を向く後面２２と斜め前方下方を向く第１の面２１とが形成される。筐体３０は、非押鍵状態において白鍵ＷＫの鍵本体１０の下方に位置する下部前部３１を有する。下部前部３１には、斜め前方下方を向く第２の面３２が形成される。非押鍵状態で且つ側面視において、第１の面２１及び第２の面３２は共に、共通する仮想直線Ｌ１上にあり、従って、共通する仮想面上にある。【選択図】図２
2016166935.tif 000002
【特許請求の範囲】
【請求項１】
鍵を複数有する鍵盤部と、前記鍵盤部が配設される筐体と、を有する鍵盤装置であって、
前記鍵の前小口には、斜め前方下方を向く第１の面が形成され、
前記筐体のうち非押鍵状態において前記鍵の本体の下方に位置する筐体下部前部には、斜め前方下方を向く第２の面が形成され、
非押鍵状態において、前記第１の面及び前記第２の面は共に、共通する仮想平面上にあるかまたは、一定曲率の共通する仮想曲面上にあることを特徴とする鍵盤装置。
【請求項２】
前記前小口の後面は、前記鍵の押離操作の全行程において、前記第２の面の上端位置よりも前方に位置することを特徴とする請求項１記載の鍵盤装置。
【請求項３】
前記前小口の後面の下端位置は、前記第１の面の下端位置と略一致していることを特徴とする請求項１または２記載の鍵盤装置。
【請求項４】
前記筐体下部前部の上面の前端位置は、前記第２の面の上端位置と略一致していることを特徴とする請求項１〜３のいずれか１項に記載の鍵盤装置。
【請求項５】
前記鍵は、押離操作により上下方向に略平行に変位することを特徴とする請求項１〜４のいずれか１項に記載の鍵盤装置。
【請求項６】
前記鍵盤部の左右両側に配置される拍子木を有し、
側面視において、前記拍子木の前部の形状を、前記鍵盤部が配設される領域における当該鍵盤装置の前記鍵の上面の前端位置から前記第２の面の下端位置にかけての形状と略一致させたことを特徴とする請求項１〜５のいずれか１項に記載の鍵盤装置。
【発明の詳細な説明】
【技術分野】
【０００１】
本発明は、白鍵及び黒鍵を複数有する鍵盤装置に関する。
【背景技術】
【０００２】
従来、電子鍵盤楽器やアコースティック鍵盤楽器に適用される鍵盤装置において、通常、白鍵は、自身の前面の下半部を構成する前小口を有している（特許文献１等）。一方、鍵盤が配設される筐体やケースにおいては口棒部が設けられ、口棒部は白鍵の前小口よりも前側（奏者側）に位置するのが通常である。白鍵が押離操作されると、口棒部の後方領域において前小口が上下に変位する。
【先行技術文献】
【特許文献】
【０００３】
【特許文献１】特開２０１３−２００４４９号公報
【発明の概要】
【発明が解決しようとする課題】
【０００４】
しかしながら、鍵盤装置の前部のデザイン的な特徴は、最前端に位置する口棒部の形状に大きく依存することから、デザインが限定的で外観上の工夫を施す余地はあまり多くなかった。例えば、前小口と口棒部の前面とは段差が生じるデザインとなっていた。また、鍵盤装置の前後方向における前端位置は口棒部の前端位置で決まることから、前後方向の鍵盤装置のコンパクト化にも限界があった。
【０００５】
本発明は上記従来技術の問題を解決するためになされたものであり、その目的は、前小口と筐体の前側となる面を略面一にでき、斬新な外観を実現することができる鍵盤装置を提供することにある。
【課題を解決するための手段】
【０００６】
上記目的を達成するために本発明の請求項１の鍵盤装置は、鍵を複数有する鍵盤部（ＫＢ）と、前記鍵盤部が配設される筐体（３０）と、を有する鍵盤装置であって、前記鍵の前小口（２０）には、斜め前方下方を向く第１の面（２１）が形成され、前記筐体のうち非押鍵状態において前記鍵の本体（１０）の下方に位置する筐体下部前部（３１）には、斜め前方下方を向く第２の面（３２）が形成され、非押鍵状態において、前記第１の面及び前記第２の面は共に、共通する仮想平面上にあるかまたは、一定曲率の共通する仮想曲面上にある。
【０００７】
好ましくは、前記前小口の後面（２２）は、前記鍵の押離操作の全行程において、前記第２の面の上端位置（Ｐ４）よりも前方に位置する。前記前小口の後面の下端位置は、前記第１の面の下端位置（Ｐ１）と略一致している。前記筐体下部前部の上面（３１ａ）の前端位置は、前記第２の面の上端位置（Ｐ４）と略一致している。前記鍵は、押離操作により上下方向に略平行に変位する。前記鍵盤部の左右両側に配置される拍子木（４０）を有し、側面視において、前記拍子木の前部の形状を、前記鍵盤部が配設される領域における当該鍵盤装置の前記鍵の上面の前端位置（Ｐ３）から前記第２の面の下端位置（Ｐ５）にかけての形状と略一致させた。
【０００８】
なお、上記括弧内の符号は例示である。
【発明の効果】
【０００９】
本発明の請求項１によれば、前小口と筐体の前側となる面を略面一にでき、斬新な外観を実現することができる。
【００１０】
請求項２によれば、筐体下部前部の前方の領域を前小口の動作範囲にでき、斬新な外観を実現すると共に、前後方向にコンパクトにすることができる。請求項３、４、５によれば、前小口と筐体との間の隙間を極力小さくし、外観を向上させることができる。請求項６によれば、統一感のある斬新な外観を実現することができる。
【図面の簡単な説明】
【００１１】
【図１】本発明の一実施の形態に係る鍵盤装置が適用される電子鍵盤楽器の左半部の斜視図（図（ａ））、左側面図（図（ｂ））である。
【図２】電子鍵盤楽器を隣接する白鍵の間で切断した断面の前部の斜視図（図（ａ））、筐体と白鍵との位置関係を示す模式的な側面図（図（ｂ））である。
【図３】変形例の鍵盤装置における筐体と白鍵との位置関係を示す模式的な側面図（図（ａ）〜（ｄ））である。
【図４】変形例の鍵盤装置における筐体と白鍵との位置関係を示す模式的な側面図（図（ａ）〜（ｃ））である。
【図５】変形例の電子鍵盤楽器の左半部の斜視図（図（ａ））、模式的な平面図（図（ｂ）〜（ｄ））である。
【発明を実施するための形態】
【００１２】
以下、本発明の実施の形態を図面を参照して説明する。
【００１３】
図１（ａ）、（ｂ）は、本発明の一実施の形態に係る鍵盤装置が適用される電子鍵盤楽器の左半部の斜視図、左側面図である。この電子鍵盤楽器１００においては、白鍵ＷＫ及び黒鍵ＢＫをそれぞれ複数有する鍵盤部ＫＢが、筐体３０に配設される。鍵盤部ＫＢの左右両側に拍子木４０が配置される（図１（ａ）では左側のもののみ図示）。以降、奏者側を前側とし、左右方向については奏者から見た方向で呼称する。
【００１４】
図２（ａ）は、電子鍵盤楽器１００を隣接する白鍵ＷＫ、ＷＫの間で切断した断面の前部の斜視図である。図２（ｂ）は、筐体３０と白鍵ＷＫとの位置関係を示す模式的な側面図である。
【００１５】
白鍵ＷＫは、前端が尖った特殊な形状をしている。白鍵ＷＫは、鍵本体１０を有し、鍵本体１０の前部に前小口２０が連接形成され、前小口２０は略下方に垂下形成される。なお、形状が特殊であるため鍵本体１０と前小口２０との境目は厳密でないが、本実施の形態では、上下方向において少なくとも後面２２を有する範囲は前小口２０に含まれるとする。
【００１６】
前小口２０には、後ろ側を向く後面２２と、斜め前方下方を向く第１の面２１とが形成される。第１の面２１は平坦な面であり下端位置Ｐ１から上端位置Ｐ２までを範囲とする。鍵本体１０の上面１１の前端位置Ｐ３から第１の面２１の上端位置Ｐ２にかけて、鍵本体１０には斜め前方上方を向く平坦な上斜面１２が形成される。上面１１と上斜面１２とは連接点Ｐ２で連接している。
【００１７】
筐体３０は、非押鍵状態において白鍵ＷＫの鍵本体１０の下方に位置するベース部である下部前部３１を有する。下部前部３１には、斜め前方下方を向く第２の面３２が形成される。第２の面３２の上端位置はＰ４、下端位置はＰ５である。非押鍵状態で且つ側面視において、第１の面２１及び第２の面３２は共に、共通する仮想直線Ｌ１上にあり、側面視で略面一となっている。別の表現をすれば、非押鍵状態において、第１の面２１及び第２の面３２は共に、共通する仮想面上にあり略面一となっている。この場合の仮想面は、仮想直線Ｌ１を含んだ左右方向に平行な平面である。これにより、従来にない斬新な外観が実現される。
【００１８】
ここで、図２（ｂ）に示すように、第１の面２１の下端位置Ｐ１は、非押鍵状態においては第２の面３２の上端位置Ｐ４よりも高いが、押鍵終了時には上端位置Ｐ４よりも低くなる（仮想線で示される）。このような動作を実現するために、前小口２０が下部前部３１に対して押離鍵の全行程において干渉（当接）しないように設計されている。
【００１９】
具体的にはまず、非押鍵状態において、前小口２０の後面２２は垂直面であり、下端位置Ｐ１は上端位置Ｐ４より前方で且つ上方に位置する。また、白鍵ＷＫは、上下方向に平行移動するいわゆる平行移動鍵として構成され、上面１１が水平のまま上下方向に略平行に変位する。なお、平行に変位させるための機構は公知の機構でよいので図示しないが、例えば、特開平４−６６９９５号公報、特許第２６８４８２７号公報、特許第３３３２１７４号公報等に開示される構成を採用できる。なお、黒鍵ＢＫも平行移動鍵である。
【００２０】
白鍵ＷＫが平行移動鍵であるため、押鍵されると後面２２が垂直を維持したまま下端位置Ｐ１が真っ直ぐ下がる。従って、押鍵終了時には、前小口２０の後面２２及び下端位置Ｐ１は依然として上端位置Ｐ４より前方の位置をとりつつ、且つ下端位置Ｐ１は上端位置Ｐ４より下方に位置する。前小口２０の後面２２は、白鍵ＷＫの押離操作の全行程において、上端位置Ｐ４よりも前方に位置するので、下部前部３１の前方の領域が前小口２０の動作範囲になっている。
【００２１】
ところで、前小口２０は側面視で下方に鋭角に尖っているので、前小口２０の後面２２の下端位置は、第１の面２１の下端位置Ｐ１と略一致している。また、下部前部３１の前端も側面視で前方に鋭角に尖っているので、下部前部３１の上面３１ａの前端位置は、上端位置Ｐ４と略一致している。これにより、前小口２０と下部前部３１との干渉を回避することを前提として、下端位置Ｐ１と上端位置Ｐ４との間の隙間を、前後方向及び上下方向のいずれにおいても極力小さく設定することができる。これによっても外観の向上に寄与する。
【００２２】
上述のように、鍵本体１０及び下部前部３１の前部において、上斜面１２、第１の面２１及び第２の面３２はいずれも傾斜面である。一方、図１（ａ）、（ｂ）に示すように、左側の拍子木４０の前部には、上側傾斜面３４と下側傾斜面３３とが連接して形成される。右側の拍子木４０も同様である。側面視において、上斜面１２と上側傾斜面３４とは略面一である。また、第１の面２１及び第２の面３２は、いずれも下側傾斜面３３と略面一である。すなわち、側面視において、拍子木４０の前部の形状を、鍵盤部ＫＢが配設される領域における電子鍵盤楽器１００の前端位置Ｐ３から下端位置Ｐ５にかけての形状と略一致させている。これにより、デザイン上、統一感が得られる。
【００２３】
本実施の形態によれば、白鍵ＷＫの前小口２０に形成された、斜め前方下方を向く第１の面２１と、筐体３０の下部前部３１に形成された、斜め前方下方を向く第２の面３２とはいずれも、非押鍵状態で且つ側面視において、共通する仮想直線Ｌ１上にある。これにより、前小口２０と筐体３０の前側となる面を略面一にでき、斬新な外観を実現することができる。また、前小口２０の後面２２は、押離鍵操作の全行程において第２の面３２の上端位置Ｐ４よりも前方に位置し、従来の口棒部のように鍵よりも前方出っ張る部分がないので、下部前部３１の前方の領域を前小口２０の動作範囲にでき、斬新な外観を実現すると共に、前後方向にコンパクトにすることができる。
【００２４】
なお、電子鍵盤楽器１００をさらに薄型にする観点からは、押鍵終了時の下端位置Ｐ１が筐体３０の下面と略一致する構成としてもよい。筐体３０に脚部を設けるか、あるいは設置面に弾性部材を介して電子鍵盤楽器１００を載置すれば、前小口２０と設置面との当接音の発生を回避できる。
【００２５】
また、前小口２０の後面２２の下端位置は、第１の面２１の下端位置Ｐ１と略一致し、下部前部３１の上面３１ａの前端位置は、上端位置Ｐ４と一致している。しかも、白鍵ＷＫは、押離操作により上下方向に略平行に変位する構成であり、前小口２０の後面２２は垂直面であるので、下端位置Ｐ１と上端位置Ｐ４との前後方向の間隔を極力小さくすることができる。これらから、前小口２０と筐体３０との間の隙間を極力小さくし、外観を向上させることができる。
【００２６】
また、側面視において、拍子木４０の前部の形状を、鍵盤部ＫＢの配設領域における電子鍵盤楽器１００の前端位置Ｐ３から下端位置Ｐ５にかけての形状と略一致させたので、統一感のある斬新な外観を実現することができる。
【００２７】
図３〜図５で変形例を説明する。図３（ａ）〜（ｄ）、図４（ａ）〜（ｃ）は、変形例の鍵盤装置における筐体３０と白鍵ＷＫとの位置関係を示す模式的な側面図である。
【００２８】
本実施の形態の効果を奏する上で、図３に示される構成も除外されるものではない。図１、図２の例では、前小口２０は側面視で下方に鋭角に尖り、下部前部３１の前端も側面視で前方に鋭角に尖っていた。前小口２０と筐体３０との間の隙間を小さくする観点ではこの構成が好ましいが、図３（ａ）に示すように、前小口２０や下部前部３１の前端が尖っていない構成も採用可能である。この構成では、前小口２０の後面２２の下端位置Ｐ６は、第１の面２１の下端位置Ｐ１より後方にあるが、第２の面３２の上端位置Ｐ４より前方にある。下部前部３１の上面３１ａの前端位置Ｐ７は、上端位置Ｐ４より後方にある。なお、側面視における前小口２０の下端や下部前部３１の前端の形状は、このような面取り形状に限られず、曲面形状（Ｒ形状）であってもよい。
【００２９】
また、図３（ｂ）に示すように、上斜面１２を廃止し、第１の面２１と鍵本体１０の上面１１とに連接する垂直面２３を形成してもよい。あるいは、図３（ｃ）に示すように、上斜面１２を廃止し、第１の面２１を延長して鍵本体１０の上面１１に連接させてもよい。あるいは、上斜面１２を廃止し、第１の面２１と鍵本体１０の上面１１との間を曲面で接続してもよい。
【００３０】
図４（ａ）の例では、白鍵ＷＫは平行移動鍵ではなく、鍵支点Ｘを回動中心として鍵本体１０が回動する構成とされる。非押鍵状態において、前小口２０の後面２２は垂直面ではなく、下方ほど後方になるように傾斜した傾斜面となっている。この構成だと、鍵本体１０は押鍵操作によって回動動作をするので、押鍵終了時には、２点鎖線で示すように第１の面２１の下端位置Ｐ１は第２の面３２の上端位置Ｐ４よりも後方に達し得る。しかし、後面２２はえぐるように前傾しているので、後面２２が上端位置Ｐ４に当接することはない。このように、白鍵ＷＫが回動型に構成される場合は、前小口２０の後面２２に逃げを設けるために前側に傾斜させると有利である。
【００３１】
図１、図２の例では、第１の面２１及び第２の面３２は共に、共通する仮想直線Ｌ１上にあった。しかし、図４（ｂ）に示すように、両者が一定曲率の共通する仮想曲線Ｒ１上にあってもよい。別の表現をすれば、両者が一定曲率の共通する仮想曲面上にあってもよい。この場合の仮想曲面は、仮想曲線Ｒ１を含んだ左右方向に平行な曲面である。これによっても、前小口２０と筐体３０の前側となる面を略面一にでき、斬新な外観を実現することができる。
【００３２】
なお、これまで説明した例では、面と面とが、頂角に相当する位置Ｐ１〜Ｐ７を連接点として連接された。しかし、図４（ｃ）に示すように、面同士が緩やかに連接して連接部が曲面形状を成し、連接点が明瞭に認識できないような形状であっても、本発明の効果を奏することができる。
【００３３】
ところで、本実施の形態では、側面視において、上斜面１２と上側傾斜面３４とは略面一で、第１の面２１及び第２の面３２も下側傾斜面３３と略面一とした。そのため、例えば、電子鍵盤楽器１００を前部が下側となるように立てて本棚等に収納する場合、鍵盤部ＫＢが設置面に直接当接し、傷が付くおそれがある。そこで、図５に示すように、プロテクタとして機能する突起部を設けてもよい。
【００３４】
図５（ａ）、（ｂ）は、変形例の電子鍵盤楽器１００の左半部の斜視図、模式的な平面図である。図５（ｃ）、（ｄ）は変形例の電子鍵盤楽器１００の左半部の模式的な平面図である。図５（ａ）、（ｂ）に示す例では、左右の拍子木４０の前部に突起部４１を形成する。突起部４１は白鍵ＷＫの鍵本体１０の最先端位置よりも前方に突出している。これにより、白鍵ＷＫの保護になる。
【００３５】
なお、突起部４１は拍子木４０に複数点在させてもよく、また、前部だけでなく後部にも設けてもよい（図５（ｃ））。あるいは、突起部４１を単独で設ける構成でなくてもよく、図５（ｄ）に示すように、波形に連続する波形突起部４２を設ける構成であってもよい。
【００３６】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３７】
１０  鍵本体、  ２０  前小口、  ２１  第１の面、  ２２  後面、  ３０  筐体、  ３１  下部前部（筐体下部前部）、  ３１ａ  上面、  ３２  第２の面、  ４０  拍子木、  ＫＢ  鍵盤部、  ＷＫ  白鍵、  Ｌ１  仮想直線、  Ｒ１  仮想曲線、  Ｐ１  下端位置、  Ｐ３  前端位置、  Ｐ４  上端位置、  Ｐ５  下端位置
【図１】
2016166935.tif 000003
【図２】
2016166935.tif 000004
【図３】
2016166935.tif 000005
【図４】
2016166935.tif 000006
【図５】
2016166935.tif 000007